(57)【要約】【課題】不正計数を実効的に防止すること。【解決手段】各台計数システムにおいて、計数機能付きＣＲユニット１０は、パチンコ玉の計数が行われた旨を示す計数通知をホールコンピュータ４０に行い、ホールコンピュータ４０は、遊技機２０からセーフ信号を取得し、計数機能付きＣＲユニット１０から計数通知が行われた際にセーフ信号が取得されたか否かによってＣＲユニット１０で不正計数が行われているか否かを監視し、不正計数が検知された場合に当該不正計数を報知する。【選択図】        図１
2010005034.tif 000002
【特許請求の範囲】
【請求項１】
各遊技台に対応して配設され、当該遊技台における遊技結果として得られた遊技媒体を計数する各台対応計数機を有する各台計数システムであって、
前記各台対応計数機で遊技媒体の計数が行われた旨を示す計数通知を行う計数通知手段と、
前記遊技台から台情報を取得する台情報取得手段と、
前記計数通知手段によって行われた計数通知と、前記台情報取得手段によって取得された台情報とに基づいて、前記各台対応計数機で不正計数が行われているか否かを監視する不正計数監視手段と、
前記不正計数監視手段によって不正計数が検知された場合に、当該不正計数を報知するように制御する報知制御手段と
を備えたことを特徴とする各台計数システム。
【請求項２】
前記台情報取得手段は、
前記遊技台における賞遊技媒体の払出しに応答して出力される払出し信号を取得し、
前記不正計数監視手段は、
前記計数通知手段によって前記計数通知が行われた際に前記台情報取得手段によって前記払出し信号が取得されたか否かによって前記各台対応計数機で不正計数が行われているか否かを監視することを特徴とする請求項１に記載の各台計数システム。
【請求項３】
前記不正計数監視手段は、
前記計数通知手段によって前記計数通知が行われてから所定期間内に前記台情報取得手段によって取得された払出し信号の取得回数が前記不正計数と見做すことができる不正見做し回数以下である場合に、前記各台対応計数機で不正計数が行われていると判別することを特徴とする請求項２に記載の各台計数システム。
【請求項４】
前記払出し信号の取得時刻を台情報履歴として記憶する台情報履歴記憶手段と、
前記台情報取得手段によって取得された払出し信号の取得時刻を前記台情報履歴記憶手段に登録する台情報登録手段と
をさらに備え、
前記不正計数監視手段は、
前記台情報履歴記憶手段によって記憶された払出し信号の取得時刻が前記計数通知手段によって前記計数通知が行われた時刻よりも以前である所定期間内に存在しない場合に、前記各台対応計数機で不正計数が行われていると判別することを特徴とする請求項２に記載の各台計数システム。
【請求項５】
前記計数通知手段は、
前記各台対応計数機における所定期間の計数値が前記不正計数のおそれがあると推定可能な不正推定計数値以上になって初めて前記計数通知を行うことを特徴とする請求項２、３または４に記載の各台計数システム。
【請求項６】
前記台情報取得手段は、
前記遊技台における遊技媒体の取込みに応答して出力される取込み信号を取得し、
前記不正計数監視手段は、
前記台情報取得手段によって前記取込み信号が遊技不実行と推定可能な遊技不実行推定期間を経過しても取得されなかった場合、かつ前記計数通知手段によって前記計数通知が行われた場合に、前記各台対応計数機で不正計数が行われていると判別することを特徴とする請求項１に記載の各台計数システム。
【請求項７】
前記不正計数監視手段は、
前記台情報取得手段によって前記取込み信号が前記遊技不実行推定期間を経過しても取得されなかった場合、かつ前記計数通知手段によって前記計数通知が行われた場合でも、前記各台対応計数機における所定期間の計数値が前記不正計数のおそれがあると推定可能な不正推定計数値以上になって初めて不正計数と判別することを特徴とする請求項６に記載の各台計数システム。
【請求項８】
各遊技台に対応して配設され、当該遊技台における遊技結果として得られた遊技媒体を計数する各台対応計数機を有する各台計数システムに適用する不正計数検知方法であって、
前記各台対応計数機で遊技媒体の計数が行われた旨を示す計数通知を行う計数通知工程と、
前記遊技台から台情報を取得する台情報取得工程と、
前記計数通知工程によって行われた計数通知と、前記台情報取得工程によって取得された台情報とに基づいて、前記各台対応計数機で不正計数が行われているか否かを監視する不正計数監視工程と、
前記不正計数監視工程によって不正計数が検知された場合に、当該不正計数を報知するように制御する報知制御工程と
を含んだことを特徴とする不正計数検知方法。
【発明の詳細な説明】
【技術分野】
【０００１】
本発明は、各遊技台に対応して配設され、当該遊技台における遊技結果として得られた遊技媒体を計数する各台対応計数機を有する各台計数システム及びその不正計数検知方法に関する。
【背景技術】
【０００２】
従来より、パチンコ遊技やパチスロ遊技を提供するパチンコ店等の遊技店では、島端等に配設される計数機での遊技媒体の計数を不要化する観点から、遊技結果として投出された賞遊技媒体を各遊技台に併設される台間機で計数し、その計数結果を持ち遊技媒体として台間機内の遊技用記録媒体（以下、プリペイドカードと言う）に関連付けておき、この持ち遊技媒体の範囲内で再貸出しを行う各台計数システムが知られている。
【０００３】
具体的には、台間機は、遊技台の上皿および下皿における貯留容量を超えた遊技媒体を台間機下部に設けられた計数部に投入させてその投入玉数を計数し、該計数結果を累積記憶しておき、遊技客が離席を意図してカード返却操作を行った場合に、累積記憶した計数遊技媒体数を台間機に接続される上位装置に通知するとともに、当該計数遊技媒体数をプリペイドカードに関連付けている。
【０００４】
このような各台計数システムでは、島端型の計数機の場合とは異なり、各台間機で計数が断続的に繰り返し行われるため、従業員に計数の立会いを行わせるのは困難である。
【０００５】
このため、他店から持ち帰った遊技媒体や偽造した遊技媒体を台間機の計数部で計数し、この計数結果をプリペイドカードに関連付け、そのプリペイドカードを用いて景品交換を行うという不正計数が行われる余地があった。
【０００６】
かかる不正行為に対応するための技術として、たとえば特許文献１には、遊技台のアウト玉数と計数玉数との和がセーフ玉数と貸し玉数との和よりも大きいか否か、すなわちアウト玉数＋計数玉数≧セーフ玉数＋貸し玉数という不等式を満たすか否かを判定し、この不等式を満たす場合には不正計数が行われていると判別する技術が開示されている。なお、アウト玉数とは、遊技台に打ち込まれた玉数を指し、セーフ玉数とは、遊技台から賞玉として投出された玉数を指す。
【０００７】
【特許文献１】特開平１１−１９２３７０号公報
【発明の開示】
【発明が解決しようとする課題】
【０００８】
しかしながら、上述した従来技術（特許文献１）においては、不正計数の実行者が遊技台から離席してからしか不正計数を検知することができないので、不正計数の現場をおさえることができず、不正計数を実効的に防止するのが困難であるという問題があった。
【０００９】
すなわち、上記の従来技術では、アウト玉数＋計数玉数≧セーフ玉数＋貸し玉数という不等式を満たした場合に不正計数が検知されるが、計数玉数が上位装置に通知されるのはプリペイドカードが返却されてからであり、少なくともそれまでは計数玉数が反映されず、たとえ不正計数が行われていたとしても上記不等式を満たすことはなく、不正計数の実行者に対し、計数初期段階での不正を検知することはできない。
【００１０】
このことから、各台計数システムにおいて不正計数を計数時点で検知することが重要な課題となっている。
【００１１】
そこで、本発明は、上述した従来技術による課題（問題点）を解消するためになされたものであり、不正計数を実効的に防止することができる各台計数システム及びその不正計数検知方法を提供することを目的とする。
【課題を解決するための手段】
【００１２】
上述した課題を解決し、目的を達成するために、本発明に係る各台計数システムは、各遊技台に対応して配設され、当該遊技台における遊技結果として得られた遊技媒体を計数する各台対応計数機を有する各台計数システムであって、前記各台対応計数機で遊技媒体の計数が行われた旨を示す計数通知を行う計数通知手段と、前記遊技台から台情報を取得する台情報取得手段と、前記計数通知手段によって行われた計数通知と、前記台情報取得手段によって取得された台情報とに基づいて、前記各台対応計数機で不正計数が行われているか否かを監視する不正計数監視手段と、前記不正計数監視手段によって不正計数が検知された場合に、当該不正計数を報知するように制御する報知制御手段とを備えたことを特徴とする。
【００１３】
また、本発明に係る各台計数システムは、上記発明において、前記台情報取得手段は、前記遊技台における賞遊技媒体の払出しに応答して出力される払出し信号を取得し、前記不正計数監視手段は、前記計数通知手段によって前記計数通知が行われた際に前記台情報取得手段によって前記払出し信号が取得されたか否かによって前記各台対応計数機で不正計数が行われているか否かを監視することを特徴とする。
【００１４】
また、本発明に係る各台計数システムは、上記発明において、前記不正計数監視手段は、前記計数通知手段によって前記計数通知が行われてから所定期間内に前記台情報取得手段によって取得された払出し信号の取得回数が前記不正計数と見做すことができる不正見做し回数以下である場合に、前記各台対応計数機で不正計数が行われていると判別することを特徴とする。
【００１５】
また、本発明に係る各台計数システムは、上記発明において、前記払出し信号の取得時刻を台情報履歴として記憶する台情報履歴記憶手段と、前記台情報取得手段によって取得された払出し信号の取得時刻を前記台情報履歴記憶手段に登録する台情報登録手段とをさらに備え、前記不正計数監視手段は、前記台情報履歴記憶手段によって記憶された払出し信号の取得時刻が前記計数通知手段によって前記計数通知が行われた時刻よりも以前である所定期間内に存在しない場合に、前記各台対応計数機で不正計数が行われていると判別することを特徴とする。
【００１６】
また、本発明に係る各台計数システムは、上記発明において、前記計数通知手段は、前記各台対応計数機における所定期間の計数値が前記不正計数のおそれがあると推定可能な不正推定計数値以上になって初めて前記計数通知を行うことを特徴とする。
【００１７】
また、本発明に係る各台計数システムは、上記発明において、前記台情報取得手段は、前記遊技台における遊技媒体の取込みに応答して出力される取込み信号を取得し、前記不正計数監視手段は、前記台情報取得手段によって前記取込み信号が遊技不実行と推定可能な遊技不実行推定期間を経過しても取得されなかった場合、かつ前記計数通知手段によって前記計数通知が行われた場合に、前記各台対応計数機で不正計数が行われていると判別することを特徴とする。
【００１８】
また、本発明に係る各台計数システムは、上記発明において、前記不正計数監視手段は、前記台情報取得手段によって前記取込み信号が前記遊技不実行推定期間を経過しても取得されなかった場合、かつ前記計数通知手段によって前記計数通知が行われた場合でも、前記各台対応計数機における所定期間の計数値が前記不正計数のおそれがあると推定可能な不正推定計数値以上になって初めて不正計数と判別することを特徴とする。
【００１９】
また、本発明に係る各台計数システムに適用する不正計数検知方法は、各遊技台に対応して配設され、当該遊技台における遊技結果として得られた遊技媒体を計数する各台対応計数機を有する各台計数システムに適用する不正計数検知方法であって、前記各台対応計数機で遊技媒体の計数が行われた旨を示す計数通知を行う計数通知工程と、前記遊技台から台情報を取得する台情報取得工程と、前記計数通知工程によって行われた計数通知と、前記台情報取得工程によって取得された台情報とに基づいて、前記各台対応計数機で不正計数が行われているか否かを監視する不正計数監視工程と、前記不正計数監視工程によって不正計数が検知された場合に、当該不正計数を報知するように制御する報知制御工程とを含んだことを特徴とする。
【発明の効果】
【００２０】
本発明によれば、各台対応計数機で遊技媒体の計数が行われた旨を示す計数通知を行い、遊技台から台情報を取得し、計数通知と台情報とに基づいて、各台対応計数機で不正計数が行われているか否かを監視し、不正計数を検知した場合に、当該不正計数を報知させるように構成したので、不正計数を計数時点で検知してその旨を報知することができ、不正計数を実効的に防止することが可能になるという効果を奏する。
【００２１】
また、本発明によれば、遊技台における賞遊技媒体の払出しに応答して出力される払出し信号を取得し、計数通知が行われた際に払出し信号を取得したか否かによって各台対応計数機で不正計数が行われているか否かを監視するように構成したので、不正計数を計数時点で検知してその旨を報知するとともに計数通知及び１種類の台情報（セーフ信号）だけで不正計数の監視を行うことができ、簡易な構成で不正計数を実効的に防止することが
可能になるという効果を奏する。
【００２２】
また、本発明によれば、計数通知が行われてから所定期間内に取得した払出し信号の取得回数が不正計数と見做すことができる不正見做し回数以下である場合に、各台対応計数機で不正計数が行われていると判別するように構成したので、特賞（大当りやボーナスなど）と不正計数の区別を大局的に判別することができ、両者の誤認を高い精度で防止しつつ、不正計数を実効的に防止することが可能になるという効果を奏する。
【００２３】
また、本発明によれば、払出し信号の取得時刻を台情報履歴として記憶しておき、取得した払出し信号の取得時刻を登録し、記憶した払出し信号の取得時刻が計数通知が行われた時刻よりも以前である所定期間内に存在しない場合に、各台対応計数機で不正計数が行われていると判別するように構成したので、計数通知以降の払出し信号の監視を行わずとも不正計数を判別でき、不正計数をより迅速に検知することが可能になるという効果を奏する。
【００２４】
また、本発明によれば、各台対応計数機における所定期間の計数値が不正計数のおそれがあると推定可能な不正推定計数値以上になって初めて計数通知を行うように構成したので、遊技台の移動に伴う持ち遊技媒体の計数を不正計数と誤認することを防止することができ、不正計数の濡れ衣を遊技客に着せることをなくすことが可能になるという効果を奏する。
【００２５】
また、本発明によれば、遊技台における遊技媒体の取込みに応答して出力される取込み信号を取得し、取込み信号を遊技不実行と推定可能な遊技不実行推定期間を経過しても取得できなかった場合、かつ計数通知が行われた場合に、各台対応計数機で不正計数が行われていると判別するように構成したので、不正計数を計数時点で検知してその旨を報知するとともに計数通知及び１種類の台情報（アウト信号）だけで不正計数の監視を行うことができ、簡易な構成で不正計数を実効的に防止することが可能になるという効果を奏する。
【００２６】
また、本発明によれば、取込み信号を遊技不実行推定期間を経過しても取得しなかった場合、かつ計数通知が行われた場合でも、各台対応計数機における所定期間の計数値が不正計数のおそれがあると推定可能な不正推定計数値以上になって初めて不正計数と判別するように構成したので、遊技台の移動に伴う持ち遊技媒体の計数を不正計数と誤認することを防止することができ、不正計数の濡れ衣を遊技客に着せることをなくすことが可能になるという効果を奏する。
【発明を実施するための最良の形態】
【００２７】
以下に添付図面を参照して、本発明に係る各台計数システム及びその不正計数検知方法の好適な実施例を詳細に説明する。なお、以下では、本発明をパチンコ遊技に適用する場合について説明することとする。
【実施例１】
【００２８】
まず、実施例１に係る各台計数システムのシステム構成について説明する。図１は、実施例１に係る各台計数システムのシステム構成を示すシステム構成図である。同図に示すように、この各台計数システムには、計数機能付きＣＲユニット１０（以下、単にＣＲユニットと言う）と、遊技機２０と、島コントローラ３０と、ホールコンピュータ４０とが設けられている。
【００２９】
このうち、ＣＲユニット１０、島コントローラ３０及びホールコンピュータ４０の間は、ＬＡＮ（Local  Area  Network）などのネットワークを介して接続される一方で、遊技機２０及びホールコンピュータ４０の間は、パルス信号線を介して接続されている。
【００３０】
ＣＲユニット１０は、各遊技機に併設されるカード処理ユニット（台間機）であり、本実施例では、遊技機２０の下皿から投入されるパチンコ玉を計数する計数機能（後述する計数部１２）をさらに有する。具体的には、自装置が接続された遊技機２０で遊技者が獲得したパチンコ玉の玉数を計数したうえで計数結果を計数値としてプリペイドカードに関連付け、計数値が関連付けられたプリペイドカードを発行する。なお、従来と同様、プリペイドカードに価値付けられた残額を用いた玉貸しも行う。
【００３１】
遊技機２０は、パチンコ玉を遊技領域に発射して遊技者がパチンコ遊技を行う装置であり、本実施例では、プリペイドカード対応のいわゆるＣＲパチンコ機であるものとしている。
【００３２】
また、遊技機２０は、遊技台で発生する特賞、アウト、セーフやスタートなどの台情報をパルス信号を通じてホールコンピュータ４０に通知している。なお、特賞とは、遊技台における大当りを指し、アウトとは、遊技台に打ち込まれたパチンコ玉を指し、セーフとは、遊技台から賞玉として投出されたパチンコ玉を指し、また、スタートとは、遊技台で単位ゲームを開始する事象を指す。
【００３３】
島コントローラ３０は、周囲を通路に囲まれたスペース（遊技島）に設けられた一群のＣＲユニット１０を束ねる中継装置である。
【００３４】
ホールコンピュータ４０は、後述する遊技台データ管理テーブル４５ａを用いて、遊技店における台情報を収集・管理する管理装置である。具体的には、遊技機２０から受け付けたパルス信号を解釈して遊技台データ管理テーブル４５ａ内の特賞回数、アウト玉数、セーフ玉数又はゲーム数を加算更新する。
【００３５】
ここで、実施例１に係る各台計数システムは、ＣＲユニット１０でパチンコ玉の計数が行われた旨を示す計数通知を行う一方で、遊技機２０からセーフ信号を取得し、計数通知が行われた際にセーフ信号が取得されたか否かによってＣＲユニット１０で不正計数が行われているか否かを監視し、不正計数が検知された場合に当該不正計数を報知する点にその特徴がある。
【００３６】
すなわち、本実施例では、上記の従来技術のように、ＣＲユニット１０の計数部１２における不正計数を監視する際に、プリペイドカードが返却されてから不正計数を判別するのではなく、不正計数が行われるその場で検知できるように、持ち玉計数というイベント（計数通知）に対してセーフ信号をどの程度受け付けたかによって不正計数を検知することとした。
【００３７】
このような不正計数の検知が成り立つ理由は、正当な出玉が計数される際には、遊技台の大当り等のイベントが伴い、このイベントによって遊技機２０からホールコンピュータ４０へ短期間に大量のセーフ信号が通知される蓋然性が高いため、セーフ信号が検出されない、或いはセーフ信号が殆ど検出されていないのに大量の持ち玉が計数されるケースは現実として存在せず、この場合には不正計数が行われていると推定することができるからである。
【００３８】
そして、遊技機２０で大当りが発生した際には、図２に示すように、一定の期間（一般的には、任意カウント×１５ラウンドが消化されるまでの期間）の間、遊技機２０からセーフ信号（セーフパルス）が断続的に供給され続けるため、大当りと不正計数の区別を大局的に判別することができ、両者の誤認を高い精度で防止することができる。
【００３９】
したがって、実施例１に係る各台計数システムによれば、不正計数を計数初期時点で検知してその旨を報知することができ、不正計数を実効的に防止することが可能になる。
【００４０】
続いて、実施例１に係る各台計数システムを構成する各装置の構成（ＣＲユニット１０及びホールコンピュータ４０）を説明する。なお、以下では、ＣＲユニット１０の構成を説明した後にホールコンピュータ４０の構成を説明することとする。
【００４１】
前述のように、実施例１に係るＣＲユニット１０の構成を説明する。図３は、図１に示したＣＲユニットの外観を示した正面図である。なお、この図３には、ＣＲユニット１０が併設された遊技機２０を破線で示している。
【００４２】
図３に示すように、ＣＲユニット１０は、係員の呼び出し時などに点灯する状態表示部１０１と、玉貸しのための各種紙幣を受け付ける紙幣挿入部１０２と、係員が携帯するリモコン（携帯端末装置）からの指示を受け付けるリモコン受光部１０３と、ディスプレイおよびテンキーなどの操作キーで構成される表示／操作部１０４と、持ち玉を払い出すノズルを備えた持ち玉払出部１０５と、プリペイドカードの受付／返却を行うカード挿入部１０６と、持ち玉（獲得玉）を計数する計数部１２と、持ち玉（獲得玉）を貯留する玉貯留部１０７とを有する。
【００４３】
また、玉貯留部１０７の前面には、持ち玉（獲得玉）の計数結果などを表示する計数表示部１０８と、持ち玉を用いた遊技を指示するための持ち玉払出ボタン１０９とを有している。ＣＲユニット１０は、同図の２１に示す遊技機２０の下皿から持ち玉（獲得玉）を玉貯留部１０７へ誘導し、計数部１２で持ち玉（獲得玉）の数量を計数する。
【００４４】
そして、遊技者が、持ち玉払出ボタン１０９を押下した場合には、持ち玉（獲得玉）を持ち玉払出部１０５経由で遊技機２０の上皿へ投出する。なお、持ち玉払出部１０５は、持ち玉の払出を行うことを基本とするが、紙幣挿入部１０２へ紙幣が挿入され、遊技機２０の貸し出しボタンが押下された場合の貸し玉の払出も併せて行うようにしてもよい。
【００４５】
図４は、図３に示したＣＲユニットの内部構成を示す機能ブロック図である。なお、実際のＣＲユニット１０では、図示した機能部以外の機能部（例えば、ビルバリユニットやカードリーダなど）を有するが、図４では、実施例１に係るＣＲユニット１０の特徴点を説明するために必要な構成要素のみを抜粋している。
【００４６】
図４に示すように、このＣＲユニット１０は、島コントローラ３０及びホールコンピュータ４０などの他の装置の間で各種通信の制御を行う通信Ｉ／Ｆ部１１と、計数部１２と、記憶部１３と、制御部１４とを有する。
【００４７】
計数部１２は、併設の遊技機２０の下皿から投入された持ち玉（獲得玉）を計数する処理部であり、持ち玉を計数する計数センサ１２ａを内在する。この計数センサ１２ａは、玉取込口から導入した獲得玉の通過経路の近傍に設けられており、かかる通過経路に赤外線等の発光及びその反射光の受光を併せて行うことで獲得玉の通過を検知し、これらの通過数を後述する持ち玉更新部１４ａにカウントアップさせる。
【００４８】
記憶部１３は、制御部１４による各種処理に必要なデータおよびプログラムを記憶する不揮発性メモリ等の記憶デバイスであり、例えば、持ち玉数を示す持ち玉データ１３ａと、一定区間における区間計数値を示す区間計数値データ１３ｂと、ホールコンピュータ４０に計数通知を行う閾値である不正監視カウントを示す不正監視カウントデータ１３ｃとを記憶する。なお、区間計数値データ１３ｂ及び不正監視カウントデータ１３ｃは、ホールコンピュータ４０などの上位装置を通じて任意に設定することができる。
【００４９】
制御部１４は、ＣＲユニット１０を全体制御する制御部であり、持ち玉更新部１４ａと、計数通知部１４ｂとを有する。実際には、これらの機能部に対応するプログラムを図示しないＲＯＭや不揮発性メモリに記憶しておき、これらのプログラムをＣＰＵにロードして実行し、持ち玉更新部１４ａ及び計数通知部１４ｂにそれぞれ対応するプロセスを実行させることになる。
【００５０】
持ち玉更新部１４ａは、持ち玉の加算更新または減算更新を行う処理部である。具体的には、計数部１２の計数センサ１２ａからのセンサ出力が得られた場合に、そのセンサ出力をカウントアップし、記憶部１３に持ち玉データ１３ａとして記憶された持ち玉数にカウントアップした値を加算する更新を行い、また、持ち玉払出ボタン１０９の押下操作に応答して持ち玉払出部１０５から持ち玉が払い出された場合に、記憶部１３に持ち玉データ１３ａとして記憶された持ち玉数から払出し玉数を減算する更新を行う。
【００５１】
また、持ち玉更新部１４ａは、持ち玉の更新に加えて、区間計数値の更新をさらに行う。具体的には、先に説明したように、計数センサ１２ａからのセンサ出力が得られるとセンサ出力をカウントアップするが、この時に記憶部１３に区間計数値データ１３ｂとして記憶された区間計数値をさらに加算更新し、たとえば１分間等の所定期間を経過すると区間計数値をリセットして区間計数値をゼロに更新する。なお、区間計数値がリセットされた後は、次にセンサ出力が得られた時点を起点として区間計数値のカウントアップが同様に行われる。
【００５２】
計数通知部１４ｂは、計数部１２でパチンコ玉の計数が行われた旨を示す計数通知をホールコンピュータ４０に行う処理部であり、区間計数値を監視する区間計数値監視部１４ｃを内在する。
【００５３】
これら両機能部の関係を具体的説明すると、計数通知部１４ｂは、記憶部１３に記憶された区間計数値が同記憶部１３に記憶された不正監視カウント（例えば、２５０個＝５００円相当）に到達したか否かを区間計数値監視部１４ｃに監視させておき、区間計数値が不正監視カウントに至ってはじめて台番号を含む計数通知をホールコンピュータ４０に行う。なお、具体的には後述するが、この計数通知を受け付けたホールコンピュータ４０では、当該ＣＲユニット１０に接続される遊技機２０から発せられるセーフ信号の監視を開始する。
【００５４】
このように、区間計数値が不正監視カウントに達するまで持ち玉計数を許容し、計数通知を行わないのは、遊技台の移動などを行うために上皿や下皿に残っている持ち玉を計数する行為を不正計数と誤認することを防止するためである。
【００５５】
そして、台移動が行われる際に計数される持ち玉は、各台計数システムの場合には遊技機２０の上皿や下皿に残っているパチンコ玉に限られるため、少量であるケースが多い。このため、区間計数値が不正監視カウントに達することをもって台移動に伴う少量の計数ではなく、遊技機２０の大当りによるものであるか、或いは不正計数が行われているものとして計数通知を行い、ホールコンピュータ４０側で不正監視を行わせるようにしている。
【００５６】
次に、実施例１に係るホールコンピュータ４０の構成を説明する。図５は、図１に示したホールコンピュータの内部構成を示す機能ブロック図である。なお、図５では、図４のＣＲユニット１０の場合と同様、実施例１に係るホールコンピュータ４０の特徴点を説明するために必要な構成要素のみを抜粋している。
【００５７】
図５に示すように、このホールコンピュータ４０は、表示部４１と、音声出力部４２と、通信Ｉ／Ｆ部４３と、パルス受信部４４と、記憶部４５と、制御部４６とを有する。
【００５８】
表示部４１は、モニタやディスプレイ等の表示デバイスであり、音声出力部４２は、スピーカ等の電子デバイスである。また、通信Ｉ／Ｆ部４３は、ＣＲユニット１０及び島コントローラ３０などの他の装置の間で各種通信の制御を行う処理部である。
【００５９】
パルス受信部４４は、遊技機２０から出力される各種パルス信号を受信する処理部である。具体的には、各パルス信号に関連付けられる特賞回数、アウト玉数、セーフ玉数及びスタート回数などの数値は、たとえばセーフ信号の場合であれば１パルスにつき１０個の払出しを表すものとあらかじめＣＲユニット１０との間で規定されており、この規定に従って解釈した特賞回数、アウト玉数、セーフ玉数及びスタート回数と送信元の台番号を後述する台データ更新部４６ａに受け渡す。
【００６０】
記憶部４５は、ハードディスク装置や不揮発性メモリ等の記憶デバイスであり、遊技台ごとの台情報を管理する遊技台データ管理テーブル４５ａを併せて記憶する。
【００６１】
遊技台データ管理テーブル４５ａは、遊技機２０の台番号ごとに特賞回数、アウト回数、セーフ回数及びゲーム数を記憶するテーブルである。なお、これら特賞回数、アウト回数、セーフ回数及びゲーム数は累計値が登録されるものとする。
【００６２】
制御部４６は、ホールコンピュータ４０を全体制御する制御部であり、台データ更新部４６ａと、セーフ信号監視部４６ｂと、報知制御部４６ｃとを有する。実際には、これらの機能部に対応するプログラムを図示しないＲＯＭや不揮発性メモリに記憶しておき、これらのプログラムをＣＰＵにロードして実行し、台データ更新部４６ａ、セーフ信号監視部４６ｂ及び報知制御部４６ｃにそれぞれ対応するプロセスを実行させることになる。
【００６３】
台データ更新部４６ａは、パルス受信部４４から出力された台情報を記憶部４５内の遊技台データ管理テーブル４５ａに更新する処理部である。例えば、パルス受信部４４から台番号およびセーフ玉数を受け付けた場合には、遊技台データ管理テーブル４５ａ内の該当台番号に対応するセーフ玉数に受付セーフ玉数を加算更新する。
【００６４】
セーフ信号監視部４６ｂは、遊技機２０から出力されるセーフ信号を監視する処理部である。具体的には、ＣＲユニット１０から計数通知を受け付けると、該計数通知に含まれる台番号の遊技機２０から出力されるセーフ信号の監視を開始し、セーフ信号の受信回数が不正計数と見做すことができる不正見做し回数（例えば、３回）を上回ったか否かを監視する。そして、所定期間（例えば、１分半）以内に受信回数が不正見做し回数を上回った場合には、大当りに伴う正常な持ち玉計数であると判別してセーフ信号の監視を解除し、所定期間を経過しても受信回数が不正見做し回数以下であった場合には、不正計数であると判別する。なお、不正見做し回数及び所定期間などのパラメータは、遊技機の性能（出玉性能や入賞釘の甘さ）などにより任意に設定することができる。
【００６５】
報知制御部４６ｃは、不正計数の報知制御を行う処理部である。具体的には、セーフ信号監視部４６ｂによって不正計数であると判別された場合に、不正計数が行われている旨及びその台番号を表示部４１に表示させたり、音声出力部４２で音声出力させたりする。なお、ここでは、ホールコンピュータ４０での報知にとどめた説明を行ったが、他の端末装置（例えば、従業員インカムや従業員の携帯電話など）に不正計数の報知を行わせるようにしてもかまわない。
【００６６】
次に、実施例１に係る各台計数システムで行われる処理の流れについて説明する。なお、ここでは、ＣＲユニット１０で行われる（１）計数通知処理を説明した後に、ホールコンピュータ４０で行われる（２）不正計数監視処理を説明することとする。
【００６７】
（１）計数通知処理
前述したように、ここでは、実施例１に係る計数通知処理について説明する。図６は、実施例１に係る計数通知処理の手順を示すフローチャートである。
【００６８】
同図に示すように、持ち玉更新部１４ａは、計数センサ１２ａからのセンサ出力が得られた場合（ステップＳ６０１肯定）に、そのセンサ出力をカウントアップし（ステップＳ６０２）、記憶部１３内に持ち玉データ１３ａ及び区間計数値データ１３ｂとして記憶された持ち玉及び区間計数値にカウントアップした値を加算する更新を行う（ステップＳ６０３）。
【００６９】
ここで、区間計数値監視部１４ｃは、記憶部１３に記憶された区間計数値が同記憶部１３に記憶された不正監視カウント（例えば、２５０個＝５００円相当）に到達したか否かを判定する（ステップＳ６０４）。
【００７０】
このとき、区間計数値が不正監視カウントに未到達である場合（ステップＳ６０４否定）には、区間計数値監視部１４ｃは、区間計数値が前回リセットされてから所定期間が経過したか否かをさらに判定する（ステップＳ６０５）。
【００７１】
そして、所定期間が経過した場合（ステップＳ６０５肯定）には、持ち玉更新部１４ａは、記憶部１３に区間計数値データ１３ｂとして記憶された区間計数値をゼロにリセットし（ステップＳ６０６）、処理を終了する。なお、所定期間が経過していない場合（ステップＳ６０５否定）には、上記のステップＳ６０１〜６０４までの処理を繰り返し行う。
【００７２】
一方、区間計数値が不正監視カウントに到達した場合（ステップＳ６０４肯定）には、計数通知部１４ｂは、ホールコンピュータ４０に対して台番号を含む計数通知を行い（ステップＳ６０７）、処理を終了する。
【００７３】
（２）不正計数監視処理
次に、実施例１に係る不正計数監視処理について説明する。図７は、実施例１に係る不正計数監視処理の手順を示すフローチャートである。
【００７４】
同図に示すように、セーフ信号監視部４６ｂは、ＣＲユニット１０から計数通知を受け付けると（ステップＳ７０１肯定）、当該計数通知に含まれる台番号の遊技機２０から出力されるセーフ信号の監視を開始する（ステップＳ７０２）。
【００７５】
そして、該当台番号の遊技機２０からのセーフ信号を受信すると（ステップＳ７０３肯定）、セーフ信号監視部４６ｂは、セーフ信号の受信回数が不正計数と見做すことができる不正見做し回数（例えば、３回）を上回ったか否かを判定する（ステップＳ７０４）。
【００７６】
このとき、セーフ信号の受信回数が不正見做し回数を上回った場合（ステップＳ７０４肯定）には、セーフ信号監視部４６ｂは、大当りに伴う正常な持ち玉計数であると判別してセーフ信号の監視を解除し（ステップＳ７０５及びステップＳ７０６）、処理を終了する。
【００７７】
一方、該当台番号の遊技機２０からのセーフ信号を受信しなかった場合、或いはセーフ信号を受信してもその受信回数が不正見做し回数以下である場合（ステップＳ７０３否定またはステップＳ７０４否定）には、セーフ信号監視部４６ｂは、計数通知を受けつけてから所定期間（例えば、１分半）が経過したか否かをさらに判定する（ステップＳ７０７）。
【００７８】
ここで、所定期間（例えば、１分半）が経過した場合（ステップＳ７０７肯定）には、セーフ信号監視部４６ｂは、不正計数であると判別し（ステップＳ７０８）、報知制御部４６ｃは、不正計数が行われている旨及びその台番号を表示部４１に表示させたり、音声出力部４２で音声出力させたりし（ステップＳ７０９）、処理を終了する。
【００７９】
上述してきたように、実施例１に係る各台計数システムによれば、ＣＲユニット１０でパチンコ玉の計数が行われた旨を示す計数通知を行う一方で、遊技機２０からセーフ信号を取得し、計数通知が行われた際にセーフ信号が取得されたか否かによってＣＲユニット１０で不正計数が行われているか否かを監視し、不正計数が検知された場合に当該不正計数を報知するように構成したので、不正計数を計数時点で検知してその旨を報知するとともに計数通知及び１種類の台情報（セーフ信号）だけで不正計数の監視を行うことができ、簡易な構成で不正計数を実効的に防止することが可能になる。
【００８０】
さらに、実施例１に係る各台計数システムによれば、計数通知が行われてから所定期間内に取得した払出し信号の取得回数が不正計数と見做すことができる不正見做し回数以下である場合に、ＣＲユニット１０で不正計数が行われていると判別するように構成したので、大当りと不正計数の区別を大局的に判別することができ、両者の誤認を高い精度で防止しつつ、不正計数を実効的に防止することが可能になる。
【００８１】
また、実施例１に係る各台計数システムによれば、計数部１２における区間計数値が不正監視カウント以上に到達して初めて計数通知を行うように構成したので、遊技台の移動に伴う持ち玉計数を不正計数と誤認することを防止することができ、不正計数の濡れ衣を遊技客に着せることをなくすことが可能になる。
【実施例２】
【００８２】
さて、上記実施例１では、計数通知とセーフ信号の関係を用いて不正計数を監視する実施例を説明したが、必ずしもセーフ信号を用いて監視を行う必要はない。そこで、実施例２では、アウト信号を用いて不正計数を監視する実施例について説明する。
【００８３】
すなわち、実施例２では、遊技機２０から台情報としてアウト信号を取得し、アウト信号が遊技不実行と推定可能な遊技不実行推定期間を経過しても取得できなかった場合、かつ計数通知が行われた場合に、ＣＲユニット５０で不正計数が行われていると判別することとした。
【００８４】
このような不正計数の検知が成り立つのは、パチンコ遊技では大当り中であろうとなかろうと遊技を行っていれば遊技台に発射したパチンコ玉が１つも飲み込まれないという事象は現実的にありえず、アウト信号が検出されていないのに大量の持ち玉が計数されている場合には不正計数が行われていると推定することができるからである。
【００８５】
このように、実施例２に係る各台計数システムにおいても、不正計数を計数時点で検知してその旨を報知することができ、実施例１と同様、不正計数を実効的に防止することが可能になる。
【００８６】
続いて、実施例２に係る各台計数システムの要部となるＣＲユニットの内部構成を説明する。図８は、実施例２に係るＣＲユニット５０の内部構成を示す機能ブロック図である。図８に示すように、このＣＲユニット５０では、遊技機２０からホールコンピュータ４０に台情報が直接通知されるのではなく、ＣＲユニット５０を経由してホールコンピュータ４０に台情報を通知する点が相違する。
【００８７】
このように、ＣＲユニット５０を経由してホールコンピュータ４０に台情報を通知する構成は既存のものであるが、かかる構成を用いて実施例２を説明するのは、ＣＲユニット５０が主体的に不正計数を監視する形態を例示するためである。
【００８８】
図８に示すように、実施例２に係るＣＲユニット５０は、実施例１と比較して、状態表示部５１と、パルス受信部５２と、パルス送信部５３とを有する点が相違する。なお、以下では、実施例１と同様の機能を発揮するものについてはその説明を省略し、機能が異なる機能部のみを抜粋して説明する。
【００８９】
状態表示部５１は、ＣＲユニット５０の状態表示を行う表示部であるが、実施例２では、後述する区間計数値監視部５５ｂによって不正計数が検知された場合には、不正計数を示す表示態様（例えば、赤色の点滅表示）でＬＥＤを点灯する。
【００９０】
パルス受信部５２は、遊技機２０から出力される各種パルス信号を受信する処理部である。具体的には、各パルス信号として受信した特賞パルス、アウトパルス、セーフパルス又はスタートパルスをそのままパルス送信部５３に受け渡すとともに、アウトパルスを受信した場合にはアウトパルス信号を受信した旨をアウト信号監視部５５ａに通知する。
【００９１】
パルス送信部５３は、パルス受信部５２から受け取った各種パルス信号をホールコンピュータ４０に送信する処理部である。
【００９２】
また、実施例２に係るＣＲユニット５０は、アウト信号の無検出時間との比較値であり、区間計数値監視部５５ｂに計数値を監視させる契機とする計数値監視開始時間（例えば、５分間）を示す計数値監視開始時間データ５４ａと、不正計数のおそれがあると推定可能な不正推定計数値（例えば、２５０個）を示す不正推定計数値データ５４ｂとをさらに記憶部５４に記憶する点が実施例１と相違する。なお、計数値監視開始時間データ５４ａ及び不正推定計数値データ５４ｂは、ホールコンピュータ４０などの上位装置を通じて任意に設定することができる。
【００９３】
さらに、実施例２に係るＣＲユニット５０は、アウト信号監視部５５ａと、区間計数値監視部５５ｂとをさらに有する点が実施例１と相違する。
【００９４】
アウト信号監視部５５ａは、遊技機２０から出力されるアウト信号を監視する処理部である。具体的には、パルス受信部５２からのアウトパルス受信通知を監視し、アウトパルス受信通知を受け付けるまではアウト信号の無検出時間をカウントアップし、また、アウトパルス受信通知を受け付けた場合にはアウト信号の無検出時間をリセットする。そして、このアウト信号の無検出時間が記憶部５４に計数値監視開始時間データ５４ａとして記憶された計数値監視開始時間「５分間」を経過したか否かを監視し、計数値監視開始時間を経過した場合には、後述する区間計数値監視部５５ｂに区間計数値の監視を要請する。
【００９５】
区間計数値監視部５５ｂは、区間計数値を監視する処理部である。具体的には、記憶部５４に区間計数値データ１３ｂとして記憶された区間計数値が同記憶部５４に不正推定計数値データとして記憶された不正推定計数値（例えば、２５０個＝５００円相当）以上になったか否かを監視し、区間計数値が不正推定計数値以上になった場合には、状態表示部５１に所定の表示態様（例えば、赤色点滅）で表示するように指示する。なお、区間計数値データ１３ｂは、実施例１と同様に、持ち玉更新部１４ａによって更新される。
【００９６】
次に、実施例２に係る不正計数監視処理について説明する。図９は、実施例２に係る不正計数監視処理の手順を示すフローチャートである。
【００９７】
同図に示すように、アウト信号監視部５５ａは、パルス受信部５２からのアウトパルス受信通知（遊技機２０から出力されるアウト信号）を監視し（ステップＳ９０１）、アウトパルス受信通知を受け付けるまでは（ステップＳ９０１否定）、アウト信号の無検出時間をカウントアップする（ステップＳ９０２）。なお、アウトパルス受信通知を受け付けた場合（ステップＳ９０１肯定）には、アウト信号の無検出時間をリセットする（ステップＳ９０５）。
【００９８】
そして、アウト信号監視部５５ａは、アウト信号の無検出時間が記憶部５４に計数値監視開始時間データ５４ａとして記憶された計数値監視開始時間「５分間」を経過したか否かを監視する（ステップＳ９０３）。
【００９９】
このとき、計数値監視開始時間を経過した場合（ステップＳ９０３肯定）には、区間計数値監視部５５ｂは、区間計数値の監視を開始する（ステップＳ９０４）。
【０１００】
ここで、区間計数値監視部５５ｂは、記憶部５４に区間計数値データ１３ｂとして記憶された区間計数値が同記憶部５４に不正推定計数値データとして記憶された不正推定計数値（例えば、２５０個＝５００円相当）以上になったか否かを監視し（ステップＳ９０６）、当該区間計数値が不正推定計数値以上になった場合（ステップＳ９０６肯定）には、状態表示部５１に所定の表示態様（例えば、赤色点滅）で表示するように指示し（ステップＳ９０７）、処理を終了する。
【０１０１】
また、区間計数値が不正推定計数値以上になることなく、持ち玉更新部１４ａによって記憶部５４内の区間計数値がリセットされた場合（ステップＳ９０６否定かつステップＳ９０８肯定）には、区間計数値監視部５５ｂは、区間計数値の監視を解除して処理を終了する。
【０１０２】
上述してきたように、実施例２に係る各台計数システムによれば、遊技機２０からアウト信号を取得し、アウト信号が遊技不実行と推定可能な遊技不実行推定期間を経過しても取得されなかった場合、かつ計数部１２から計数通知が行われた場合に、ＣＲユニット５０で不正計数が行われていると判別するように構成したので、不正計数を計数時点で検知してその旨を報知するとともに計数通知及び１種類の台情報（アウト信号）だけで不正計数の監視を行うことができ、実施例１と同様、簡易な構成で不正計数を実効的に防止することが可能になる。
【０１０３】
また、実施例２に係る各台計数システムによれば、アウト信号が遊技不実行推定期間を経過しても取得されなかった場合、かつ計数通知が行われた場合でも、計数部１２における区間計数値が不正計数のおそれがあると推定可能な不正推定計数値以上になって初めて不正計数と判別するように構成したので、遊技台の移動に伴う持ち玉計数を不正計数と誤認することを防止することができ、不正計数の濡れ衣を遊技客に着せることをなくすことが可能になる。
【実施例３】
【０１０４】
さて、これまで本発明の実施例について説明したが、本発明は上述した実施例以外にも、種々の異なる形態にて実施されてよいものである。そこで、以下では、本発明に含まれる他の実施例を説明する。
【０１０５】
例えば、上記の実施例１では、ＣＲユニット１０によって計数通知が行われてからそれ以降のセーフ信号を監視することとしたが、必ずしも計数通知以降のセーフ信号を監視する必要はなく、遊技機２０からのセーフ信号とその取得時刻を履歴として保持しておけば、計数通知以前のセーフ信号を用いて不正計数を監視することができる。
【０１０６】
具体的には、セーフ信号の取得時刻を管理する台情報履歴テーブルを記憶部内に記憶しておき、遊技機２０からセーフ信号を取得した際にその取得時刻を台情報履歴テーブルに登録し、当該テーブル内に記憶されたセーフ信号の取得時刻の中にＣＲユニット１０から計数通知が行われるよりも以前である所定期間（例えば、５分間）に含まれるものが存在しない、もしくは所定期間の取得回数が不正推定回数以下である場合に、当該ＣＲユニット１０で不正計数が行われていると判別するように各台計数システムを構成する。
【０１０７】
このように、取得時刻の履歴を用いて不正計数を監視すれば、計数通知以降のセーフ信号の監視を行わずとも不正計数を判別でき、不正計数をより迅速に検知することが可能になる。
【０１０８】
また、上記の実施例１では、ＣＲユニット１０からの計数通知を受け付けるとそのままセーフ信号の監視を開始することとしたが、すべてのケースで厳密に監視を行うことがよいとは限らない。例えば、２Ｒや３Ｒなどの少ない出玉の大当り（突然確率変動）の場合には、アタッカーの開放時間も通常の大当りと比べて短いため、セーフ信号が発生しないことも多い。
【０１０９】
このことから、突然確率変動等が発生する遊技機２０から突然確率変動に対応するパルス信号を履歴としてホールコンピュータ４０に登録したり、或いは特賞信号を受信してからスタート信号を受信するまでの間隔（すなわち、大当りの消化時間）をホールコンピュータ４０で計測しておき、計数通知以前の所定期間（例えば、５分間）に突然確率変動に対応するパルス信号を受信している場合、もしくは大当りの消化時間が突然確率変動の大当りである場合には、計数通知を受けつけてもセーフ信号の監視を行わないようにホールコンピュータ４０を構成してもよい。
【０１１０】
なお、上記の実施例１では、ホールコンピュータ４０が不正計数の監視を主体的に行い、また、上記の実施例２では、ＣＲユニットが不正計数を主体的に行う例を説明したが、実施例１及び２のいずれにおいても不正計数の監視を行う主体はＣＲユニット１０またはホールコンピュータ４０のいずれであってもよい。さらに、不正計数の監視を島コントローラ３０などの他の装置に行わせることとしてもよいし、また、ＣＲユニット１０と各台計数機を別体に構成する場合には、各台計数機に不正計数の監視を行わせるようにしてもよい。
【０１１１】
また、上記の実施例１及び２では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１１２】
以上のように、本発明に係る各台計数システム及びその不正計数検知方法は、不正計数を実効的に防止することに適している。
【図面の簡単な説明】
【０１１３】
【図１】実施例１に係る各台計数システムのシステム構成を示すシステム構成図である。
【図２】特賞（大当り）とセーフ信号の関係を示す図である。
【図３】図１に示したＣＲユニットの外観を示した正面図である。
【図４】図３に示したＣＲユニットの内部構成を示す機能ブロック図である。
【図５】図１に示したホールコンピュータの内部構成を示す機能ブロック図である。
【図６】実施例１に係る計数通知処理の手順を示すフローチャートである。
【図７】実施例１に係る不正計数監視処理の手順を示すフローチャートである。
【図８】実施例２に係るＣＲユニット５０の内部構成を示す機能ブロック図である。
【図９】実施例２に係る不正計数監視処理の手順を示すフローチャートである。
【符号の説明】
【０１１４】
１０    計数機能付きＣＲユニット
１１    通信Ｉ／Ｆ部
１２    計数部
１２ａ  計数センサ
１３    記憶部
１４    制御部
１４ａ  持ち玉更新部
１４ｂ  計数通知部
１４ｃ  区間計数値監視部
２０    遊技機
３０    島コントローラ
４０    ホールコンピュータ
４１    表示部
４２    音声出力部
４３    通信Ｉ／Ｆ部
４４    パルス受信部
４５    記憶部
４５ａ  遊技台データ管理テーブル
４６    制御部
４６ａ  台データ更新部
４６ｂ  セーフ信号監視部
４６ｃ  報知制御部
【図１】
2010005034.tif 000003
【図２】
2010005034.tif 000004
【図３】
2010005034.tif 000005
【図４】
2010005034.tif 000006
【図５】
2010005034.tif 000007
【図６】
2010005034.tif 000008
【図７】
2010005034.tif 000009
【図８】
2010005034.tif 000010
【図９】
2010005034.tif 000011